(57)【要約】【課題】装着していることを外観によって認識されにくくすることができるとともに、重力により剥がれにくくすることができるストーマ装具及び腹巻を提供する。【解決手段】ストーマ装具１は、上部に開口部５を有し、この開口部５を介して、人体のストーマからの排泄物を受け入れて収容する袋体３を備えている。袋体３は、下部が側方に延出した形状に形成されている。これにより、患者の生活の質を向上させることができる。【選択図】図１
2014023605.tif 000002
【特許請求の範囲】
【請求項１】
上部に開口部を有し、該開口部を介して、人体のストーマからの排泄物を内部に受け入れて収容する袋体を備えたストーマ装具において、
前記袋体の下部が側方に延出した形状に形成されていることを特徴とするストーマ装具。
【請求項２】
前記袋体は、下部が左右方向に延出していることを特徴とする請求項１に記載のストーマ装具。
【請求項３】
前記袋体は、下部が下端中央に向かって下り傾斜してすぼむ形状に形成されるとともに、前記下端中央に、排泄物を外部に排出するための排出口が設けられていることを特徴とする請求項２に記載のストーマ装具。
【請求項４】
前記袋体は、Ｌ字状となるように下部が側方に延出していることを特徴とする請求項１に記載のストーマ装具。
【請求項５】
人体の腹を取り巻く状態に装着される筒状の布材の内周に、上方が開口した収納部が設けられ、該収納部に請求項１〜３の何れか一項に記載のストーマ装具を収納可能としたことを特徴とする腹巻。
【発明の詳細な説明】
【技術分野】
【０００１】
本発明は、ストーマ装具及び腹巻に関する。
【背景技術】
【０００２】
ストーマとは、人体の腹部に人工的に作られた排泄口をいう。癌等の疾患のため大腸や小腸あるいは尿路の一部が切除された患者は、腸管の残存する組織を用い、便、あるいは、尿を排泄される必要がある。よって、腸管を用いて、腹壁外に排泄口を作成する。これを人工肛門あるいは回腸導管ということもある。
【０００３】
従来、このストーマから排出された排泄物を受け入れて袋体に収容するように構成されたストーマ装具が知られている。ここで、図６を参照して従来のストーマ装具の構成について説明する。なお、図６（Ａ）は、ストーマ装具の裏側を示し、図６（Ｂ）は、ストーマ装具の表側を示している。従来のストーマ装具１００は、例えば、図６に示すように、人体に装着される側である裏側に裏側シート１０１と、人体に装着される側とは反対側である表側に裏側シート１０１と同形状の表側シート１０２とを有し、裏側シード１０１及び表側シート１０２の外周がホットメルト等の接着手段により互いに接着されて袋体１０３を形成することにより、内容物が漏出しないように内部が密封された形態をとっている。この袋体１０３は、図６（Ａ）に示すように、上部（図中ａで示す部分）が半円形状となっており、半円形状となった部分から中央下部にわたって（図中ｂで示す部分）一定の幅寸法を以って延出するとともに、当該中央下部から一定長さだけ（図中ｃで示す部分）幅寸法が徐々に小さくなって、下部（図中ｄで示す部分）は幅寸法が上部と比較して小さくなっている。
【０００４】
また、裏側シート１０１の上部中央には円盤状の薄板の接着パッド１０４が設けられている。接着パッド１０４は、例えば、シリコンによって形成されており、人体の腹部に粘着することにより、ストーマ装具を人体に支持することができる。接着パッド１０４の中央には、裏側シート１０１とともに開口された開口部１０５が設けられている。そして、この接着パッド１０４の開口部１０５をストーマに臨ませるようにして接着パッド１０４を人体に粘着させることにより、袋体１０３の内部を密閉状態とすることができる。そして、ストーマから排出された排泄物は、袋体１０３の下部に堆積される（例えば、特許文献１）。
【先行技術文献】
【特許文献】
【０００５】
【特許文献１】特開２０１０−２８４４４１号公報
【発明の概要】
【発明が解決しようとする課題】
【０００６】
しかしながら、上記特許文献１に記載のような従来のストーマ装具の形状では、ストーマから排出された排泄物を収容する袋体が縦長に形成されているので、例えば、長時間の使用により排泄物の量が多くなった場合には、重力によりストーマ装具の上部が皮膚より剥がれ易くなり、かつ、この排泄物によって特に袋体の下部が膨張し、剥離しやすくなり、また、その様子が衣服の上から認識され得るため、外観上好ましくないという問題がある。
【０００７】
本発明の課題は、重力によって皮膚から剥がれにくく、また、装着していることを外観によって認識されにくくすることができるストーマ装具及び腹巻を提供することである。
【課題を解決するための手段】
【０００８】
以上の課題を解決するため、請求項１に記載の発明は、上部に開口部を有し、該開口部を介して、人体のストーマからの排泄物を内部に受け入れて収容する袋体を備えたストーマ装具において、
前記袋体の下部が側方に延出した形状に形成されていることを特徴とする。
【０００９】
請求項２に記載の発明は、請求項１に記載のストーマ装具において、
前記袋体は、下部が左右方向に延出していることを特徴とする。
【００１０】
請求項３に記載の発明は、請求項２に記載のストーマ装具において、
前記袋体は、下部が下端中央に向かって下り傾斜してすぼむ形状に形成されるとともに、前記下端中央に、排泄物を外部に排出するための排出口が設けられていることを特徴とする。
【００１１】
請求項４に記載の発明は、請求項１に記載のストーマ装具において、
前記袋体は、Ｌ字状となるように下部が側方に延出していることを特徴とする。
【００１２】
請求項５に記載の発明は、腹巻において、
人体の腹を取り巻く状態に装着される筒状の布材の内周に、上方が開口した収納部が設けられ、該収納部に請求項１〜３の何れか一項に記載のストーマ装具を収納可能としたことを特徴とする。
【発明の効果】
【００１３】
本発明によれば、装着していることを外観によって認識されにくくすることができ、また、重力によってストーマ装具が外れやすくなるのを防止できる。
【図面の簡単な説明】
【００１４】
【図１】（Ａ）は裏面図、（Ｂ）は表面図、（Ｃ）及び（Ｄ）はストーマ装具の下端中央部分を拡大した斜視図である。
【図２】第２の実施の形態に係るストーマ装具の裏面図である。
【図３】第３の実施の形態に係るストーマ装具の裏面図である。
【図４】腹巻の外観斜視図である。
【図５】腹巻の使用態様について説明する外観斜視図である。
【図６】従来のストーマ装具の外観を示す図である。
【発明を実施するための形態】
【００１５】
以下、本発明の実施の形態に係るストーマ装具について、図面を参照して説明する。ただし、発明の範囲は図示例に限定されない。なお、以下の説明において、同一の機能及び構成を有するものについては、同一の符号を付し、その説明を省略する。
【００１６】
（第１の実施の形態）
第１の実施の形態に係るストーマ装具１は、例えば、図１（Ａ）及び図１（Ｂ）に示すように、人体（患者）に装着される側である裏側に裏側シート２ａと、人体に装着される側とは反対側である表側に裏側シート２ａと同形状の表側シート２ｂとを有し、外周をホットメルト等の接着手段により接着されて袋体３が形成されている。裏側シート２ａ及び表側シート２ｂは、例えば、ポリ塩化ビニリデン等の樹脂により形成されており、それぞれ、少なくとも内側となる面が、臭いが付着しないように防臭剤等によりコーティングされている。袋体３は、上下方向を長手とされ、上部が半円形状とされるとともに、下部が左右対称となってそれぞれ側方に延出しており、この延出部分が略楕円形状に形成されて
いる。袋体３の下部の長さはｐとなっており、好ましくは１５ｃｍ以下である。これは、排泄物が均等に入った場合、堆積要領が推計３００〜４００ｍｌを有することによる。袋体３は、下縁部分が下端中央に向かって下り傾斜してすぼむ形状に形成されており、袋体３に収容された排泄物が中央に集められやすくなっている。袋体３の下縁部分の傾斜角αは、０度以上９０度未満が好適であり、より好ましくは、およそ１０度〜３０度である。
【００１７】
裏側シート２ａの上部中央には、円盤状の薄板の接着パッド４が設けられている。接着パッド４は、例えば、シリコンによって形成されており、患者の腹部に粘着することにより、ストーマ装具１を患者の腹部に支持することができる。接着パッド４の表面には、剥離シート４ａが貼着されており、ストーマ装具１を使用する際に剥離シート４ａを剥離することにより、ストーマ装具１を人体に取付可能な状態とすることができる。
【００１８】
また、接着パッド４の中央には、裏側シート２ａとともに開口された開口部５が設けられている。そして、この接着パッド４の開口部５をストーマに臨ませるようにして接着パッド４を患者の腹部に粘着させることにより接着パッド４が患者の腹部に密着され、袋体３の内部を密閉状態とすることができる。したがって、袋体３に排出された排泄物が開口部５から漏出することが少ない。
【００１９】
袋体３の下端中央には、袋体３に収容された排泄物を排出するための排出部材６が設けられている。この排出部材６は、図１（Ｃ）に示されるように、円筒状に形成されるとともに、上端部が平板形状に形成されている。この平板形状部分は、円筒部分に沿ってある程度の厚みをもって円弧状に湾曲している。このようにすることで、袋体３内に蓄積された排泄物をスムーズに排出させることができる。本実施の形態では、袋体３を、図１（Ｃ）において一点鎖線で示された部分で矢印に沿って折り返し、図１（Ｄ）に示すような形態とすることができる。このようにすることで、後述する腹巻５０（図４参照）やストーマ装具１を収納する収納袋に収納した際に収納しやすくすることができる。なお、上端部の平板形状部分が漏斗形状に形成されていてもよい。排出部材６の先端部には排出口６ａが形成されている。排出部材６は、上端部の平板形状部分がその形状に沿って袋体３の裏側シート２ａの内面の下端中央の内周に固着されており、袋体３の下端中央から円筒部分が下方に突出している。したがって、袋体３の内部が排出口６ａと連通され、袋体３に収容された排泄物をこの排出口６ａから外部に排出することが可能となっている。なお、本実施の形態では、排出部材６を必要以上の長さとせず、比較的短い寸法としている。そのため、ストーマ装具１を装着したときに、図１（Ｄ）に示すように、排出部材６を前方に折り曲げて収納袋等に収納することにより、排出部材６が体幹に当たることはなく、これによる痛みが生じることは全くない。また、排出部材６の先端部には、キャップ７が一体に形成されている。キャップ７は、その軸部分の外径が排出部材６の円筒部分の内径と略同じに形成されている。また、キャップ７は、その軸部分の外周に環状の突起が複数一体になって設けられている一方、排出部材６の円筒部分の内周にも環状の突起が複数一体になって設けられている。このように構成されたキャップ７を排出口６ａから嵌挿すると、袋体３に収容された排泄物が排出口６ａから漏出しないように密閉することができる。なお、本実施の形態では、キャップ７の軸部分と排出部材６の円筒部分の両方に環状の突起を設けるようにしたが、何れか一方に設けられた態様であってもよい。また、環状の突起でなく、環状の溝が設けられた態様であってもよい。また、排出部材６は、必ずしも円筒形である必要はなく、楕円形状であってもよい。排出部材６の内径は、およそ１〜３ｃｍが好適であるが、これより大きくても小さくてもよい。また、キャップ７は、この排出部材６の形状に合わせて適宜形状が定められている。
【００２０】
表側シート２ｂの上端近傍には、袋体３に収容された排泄物から発生するガスを外部に排出するための通気口８が設けられている。通気口８には、ガスの臭いを吸着する脱臭フィルタが設けられている。
【００２１】
本実施の形態では、以上のように構成することで、袋体３に収容された排泄物が左右方向に分散して堆積されるので、袋体３の前方への膨出を抑制し、ストーマ装具１が装着されていることを衣服の上から認識されにくくすることができる。さらに、後述する腹巻に収納すれば、ストーマ装具１が装着されていることを衣服の上からより一層認識されにくくすることができる。
【００２２】
また、本実施の形態では、袋体３の下端部分が下端中央に向けて下り傾斜しており、また、排出部材６の漏斗形状部分の口径が大きくなっているので、袋体３に収容された排泄物を排出部材６の排出口６ａから排出しやすくなる。
【００２３】
また、本実施の形態では、従来のストーマ装具において使用されている材料を用いて実現可能であるため、人体に対する害などの臨床チェックが不要である。
【００２４】
次に、第２の実施の形態に係るストーマ装具について、図２を参照しながら説明する。
【００２５】
（第２の実施の形態）
第２の実施の形態に係るストーマ装具２０１は、袋体２０３の形状が第１の実施の形態のストーマ装具１と異なっている他は、第１の実施の形態のストーマ装具１と同様である。なお、第２の実施の形態に係るストーマ装具２０１は、排出部材が設けられていないが、排出部材を設けることももちろん可能である。
【００２６】
袋体２０３は、上下方向を長手として、上部が半円形状とされるとともに、下部が右側に延出したＬ字型形状に形成されている。第２の実施の形態に係るストーマ装具２０１は、例えば、左側腹部にストーマが形成されている患者に対して装着すると、患者の左側腹部から中央にかけて袋体２０３が腹部に重畳するようになる。そのため、袋体２０３に収容された排泄物が左右方向に分散して堆積されるので、袋体２０３の前方への膨出を抑制し、ストーマ装具２０１が装着されていることを衣服の上から認識されにくくすることができる。
【００２７】
次に、第３の実施の形態に係るストーマ装具について、図３を参照しながら説明する。
【００２８】
（第３の実施の形態）
第３の実施の形態に係るストーマ装具３０１は、袋体３０３の形状が第１の実施の形態のストーマ装具１と異なっている他は、第１の実施の形態のストーマ装具１と同様である。なお、第３の実施の形態に係るストーマ装具３０１は、排出部材が設けられていないが、排出部材を設けることももちろん可能である。
【００２９】
袋体３０３は、上下方向を長手として、上部が半円形状とされるとともに、下部が左側に延出したＬ字型形状に形成されている。第３の実施の形態に係るストーマ装具３０１は、例えば、右側腹部にストーマが形成されている患者に対して装着すると、患者の右側腹部から中央にかけて袋体３０３が腹部に重畳するようになる。そのため、袋体３０３に収容された排泄物が左右方向に分散して堆積されるので、袋体３０３の前方への膨出を抑制し、ストーマ装具３０１が装着されていることを衣服の上から認識されにくくすることができる。
【００３０】
次に、上述した第１〜第３の実施形態に係るストーマ装具を収納可能な腹巻について図４及び図５を参照しながら説明する。なお、図４では、腹巻５０の一部を破断して示している。
【００３１】
腹巻５０は、図４に示すように、伸縮自在の布材によって筒状に形成されている。この布材は、例えば、脱臭あるいは消臭効果の有する素材を含有していることが好ましい。腹巻５０の内周には、方形状の布材が縫着されて収納部５１が形成されている。すなわち、収納部５１は、方形状の布材の左右両辺と下辺が腹巻５０の内周に対して縫合され、上方が開口している。
【００３２】
そして、上述のようにして構成された腹巻５０を使用する場合には、図５に示すように、先ず、患者Ｐに上述したストーマ装具（図５では、第３の実施形態に係るストーマ装具３０１）を上述した要領で支持させた後、腹巻５０を患者Ｐの腹部を取り巻く状態に装着させる。このとき、収納部５１がストーマ装具３０１に重畳する位置となるようにする。そして、この状態で、ストーマ装具３０１を収納部５１に収納する。このようにすることで、ストーマ装具の下部が収納部５１によって支持されるので、ストーマ装具の重みで接着パッド４に負荷がかかり、接着パッド４が重力に抗して人体に負担がかかるのを抑制することができる。
【００３３】
以上説明したように、第１〜第３の実施の形態によれば、袋体３（２０３，３０３）は、下部が側方に延出した形状に形成されている。その結果、袋体に収容された排泄物が左右方向に分散して堆積されるので、袋体の前方への膨出を抑制し、ストーマ装具が装着されていることを衣服の上から認識されにくくすることができる。また、重力によってストーマ装具が外れやすくなるのを防止できる。
【００３４】
また、第１の実施の形態によれば、袋体３は、下部が左右方向に延出している。その結果、ストーマ装具が装着されていることをより認識されにくくすることができる。
【００３５】
また、第１の実施の形態によれば、袋体３は、下部が下端中央に向かって下り傾斜してすぼむ形状に形成されるとともに、下端中央に、排泄物を外部に排出するための排出口６ａが設けられている。その結果、袋体に収容された排泄物を容易に排出することができる。
【００３６】
また、第２及び第３の実施の形態によれば、袋体２０３（３０３）は、Ｌ字状となるように下部が側方に延出しているので、ストーマ装具の装着感を向上させることができる。
【００３７】
また、第１〜第３の実施の形態によれば、腹巻５０は、患者Ｐの腹を取り巻く状態に装着される筒状の布材の内周に、上方が開口した収納部５１が設けられ、この収納部５１にストーマ装具１（２０１，３０１）を収納可能としたので、ストーマ装具による人体に対する負荷や精神的負荷等を軽減することができる。
【００３８】
なお、本発明の実施の形態における記述は、本発明に係るストーマ装具の一例であり、これに限定されるものではない。ストーマ装具を構成する各部の細部構成に関しても適宜変更可能である。
【００３９】
また、本実施の形態では、ストーマ装具の袋体の下部を楕円形状や半円形状にて側方に膨出させるようにしたが、袋体の下部の形状はこれらに限定されず、方形状や三角形状等、適宜の形状とすることができる。
【００４０】
また、第１の実施の形態では、排出部材を備えるようにしたが、排出部材を備えないものであってもよい。
【符号の説明】
【００４１】
１  ストーマ装具
３  袋体
６  排出部材
６ａ  排出口
２０１  ストーマ装具
２０３  袋体
３０１  ストーマ装具
３０３  袋体
５０  腹巻
５１  収納部
【図１】
2014023605.tif 000003
【図２】
2014023605.tif 000004
【図３】
2014023605.tif 000005
【図４】
2014023605.tif 000006
【図５】
2014023605.tif 000007
【図６】
2014023605.tif 000008